(57)【要約】【課題】  視聴者が感じている季節感によって、コンテンツを切り替えることはできなかった。【解決手段】  サイネージ装置は、サイネージ装置がコンテンツを出力する方向を撮影する。撮影された画像からサイネージ装置の前を通る視聴者を認識する。認識した視聴者の服装を認識して、視聴者が半袖なのか長袖なのかを検出する。所定の時間検出した服装をそれぞれカウントアップし半袖の視聴者または長袖の視聴者の割合を求めることで、視聴者が感じている季節感を検出する。そしてサイネージ装置は、検出した季節感に基づいてコンテンツを再生する。【選択図】  図２
2016170290.tif 000002
【特許請求の範囲】
【請求項１】
ユーザを認識する認識手段と、
前記ユーザが感じている季節感を検出する季節感検出手段と、
前記季節感に基づいてコンテンツを出力するコンテンツ出力手段と、
を備えるコンテンツ出力装置。
【請求項２】
前記コンテンツ出力手段は、前記季節感検出手段が特定の季節感を検出できなかった場合、前記季節感を除いた所定の条件に基づいてコンテンツを出力する事を特徴とする請求項１に記載のコンテンツ出力装置。
【請求項３】
前記所定の条件は、在庫状況であることを特徴とする請求項２に記載のコンテンツ出力装置。
【請求項４】
前記所定の条件は、日付による季節であることを特徴とする請求項２に記載のコンテンツ出力装置。
【請求項５】
コンテンツを出力する方向を撮影する撮影手段と、
を更に備え、
前記季節感検出手段は、前記撮影手段に撮影されたユーザの服装に基づいて季節感を検出することを特徴とする請求項１から４のいずれか一項に記載のコンテンツ出力装置。
【請求項６】
前記撮影手段に所定の時間撮影されたユーザの服装を記憶する記憶手段と、
を更に備え、
前記季節感検出手段は、前記記憶手段に基づいて季節感を検出することを特徴とする請求項３に記憶するコンテンツ出力装置。
【請求項７】
前記季節感検出手段は、前記撮影手段に撮影されたユーザの服装の割合に基づいて季節感を検出することを特徴とする請求項５または６に記載のコンテンツ出力装置。
【請求項８】
コンピュータを、
ユーザを認識する認識手段、
前記認識されたユーザが感じている季節感を検出する季節感検出手段、
前記季節感に基づいてコンテンツを出力するコンテンツ出力手段、
として機能させることを特徴とするプログラム。
【請求項９】
ユーザを認識する認識ステップと、
前記認識されたユーザが感じている季節感を検出する季節感検出ステップと、
前記季節感に基づいてコンテンツを出力するコンテンツ出力ステップと、
を備えるコンテンツ出力方法。
【発明の詳細な説明】
【技術分野】
【０００１】
本発明は、コンテンツ出力装置、コンテンツ出力方法およびプログラムに関する。
【背景技術】
【０００２】
近年、鑑賞者に対して印象付けた告知を行うべく、人型に形成された平面のスクリーンに対して人物画像を投影し、種々の告知を行わせる表示装置が開発されている（例えば特許文献１参照）。また、より現実味のある印象を鑑賞者に与えるべく、立体的に形成されたスクリーンに対して人物画像を投影する手法が検討されている。
【先行技術文献】
【特許文献】
【０００３】
【特許文献１】特開２０１１−１５０２２１号公報
【発明の概要】
【発明が解決しようとする課題】
【０００４】
しかしながら、従来の表示装置では、予め決められたコンテンツしか出力できなかった。
【０００５】
そこで本発明の課題は、視聴者が感じる季節感に基づいてコンテンツを出力することである。
【課題を解決するための手段】
【０００６】
上記の課題を解決すために、
ユーザを認識する認識手段と、
前記ユーザが感じている季節感を検出する季節感検出手段と、
前記季節感に基づいてコンテンツを出力するコンテンツ出力手段と、
を備えるコンテンツ出力装置を提供する。
【発明の効果】
【０００７】
視聴者にあった適切な言語でコンテンツを出力することができる。
【図面の簡単な説明】
【０００８】
【図１】は、本実施形態に係るサイネージ装置の構成を示すブロック図である。
【図２】は、本実施形態に係るサイネージ装置のコンテンツ出力処理のフローチャートを示す図である。
【発明を実施するための形態】
【０００９】
以下、本発明を実施するための形態に係る無線通信装置を、図面を参照して説明する。なお、図中同一又は相当する部分は同一符号を付す。
【００１０】
図１は、本実施形態に係るサイネージ装置１の構成を示すブロック図である。サイネージ装置１は、例えば、背面投射型のプロジェクタを用い図示しないスクリーンに向け照射する投影装置であって、店舗や展示会会場などに設置され、商品の説明、案内、アンケート等のコンテンツを再生するものである。
【００１１】
サイネージ装置１は、図２に示すように、制御部１１、表示部１２、入力部１３、通信部１４、記憶部１５、カメラ１６を備え、記憶部１５は、半袖人数記憶部１５１、長袖人数記憶部１５２、コンテンツ記憶部を含むものである。
【００１２】
制御部１１は、ＣＰＵ（Ｃｅｎｔｒａｌ  Ｐｒｏｃｅｓｓｉｎｇ  Ｕｎｉｔ）等によって構成され、記憶部１５に記億されている各種のプログラムを実行して所定の演算や各部の制御を行うＣＰＵとプログラム実行時の作業領域となるメモリとを備えている（いずれも図示略）。また、制御部１１は、後述する撮影部１６が撮影した視聴者の画像から、撮影された視聴者が半袖なのかまたは長袖なのか等の服装を検出する。
【００１３】
表示部１２は、制御部１１から出力された画像データを投影光に変換してスクリーンに向けて照射するプロジェクタである。
例えば、プロジェクタとしては、アレイ状に配列された複数個（ＸＧＡの場合、横１０２４画素×縦７６８画素)の微小ミラーの各傾斜角度を個々に高速でオン/オフ動作して表示動作することでその反射光により光像を形成する表示素子であるＤＭＤ（デジタルマイクロミラーデバイス）を利用したＤＬＰ（Digital Light Processing）（登録商標）プロジェクタが適用可能である。
【００１４】
入力部１３は、ユーザからのコンテンツ切換え操作等を受け付ける。
【００１５】
通信部１４は、図示しないアンテナを介して、例えばレジ装置２等から在庫状況などを取得する。
【００１６】
記憶部１５は、後述するカメラで撮影した視聴者の半袖の人数を記憶する半袖人数記憶部１５１、視聴者の長袖の人数を記憶する長袖人数記憶部１５２、投影するコンテンツデータを記憶するコンテンツデータ記憶部１５３を有する。
【００１７】
コンテンツデータ記憶部１５３には例えば夏用のコンテンツや冬用のコンテンツを記憶している。
【００１８】
撮影部１６は、サイネージ装置１の表示部１２が表示する方向を撮影する。表示部１２が表示している方向を撮影する事で、サイネージ装置１の前を通る視聴者を認識する事ができる。撮影部１６が撮影した視聴者の画像は、制御部１１に送られ、撮影された視聴者が半袖なのかまたは長袖なのか等の服装を検出する。
【００１９】
図２は、本実施形態に係るサイネージ装置１のコンテンツ出力処理のフローチャートを示す図である。
【００２０】
まず、撮影部１により、表示部１２がコンテンツを表示する方向を撮影し、撮影された画像からサイネージ装１の前を通る視聴者を認識し、服装を検出する（ステップＳ１）。
【００２１】
検出された服装が半袖か否かを判定し（ステップＳ２）、半袖であると判定された場合は（ステップＳ２ＹＥＳ）、半袖人数記憶部１５１に記憶されている半袖人数を１加える。検出された服装が半袖でないと判定された場合（ステップＳ２ＮＯ）、長袖人数記憶部１５２に記憶されている長袖人数に１を加える。
【００２２】
サイネージ装置１が視聴者の服装を検出し始めてから所定の時間が経過したかを判定し（ステップＳ５）、所定の時間が経過していない場合（ステップＳ５ＮＯ）は、ステップＳ１に戻る。
【００２３】
所定の時間が経過した場合は（ステップＳ５ＹＥＳ）、半袖人数記憶部１５１に記憶された半袖人数と長袖人数記憶部１５２に記憶された長袖人数の合計に対する半袖の視聴者の割合を求め、求めた半袖割合が７０パーセント異常であるかを判定する（ステップＳ６）。
【００２４】
半袖割合が７０％以上である場合（ステップＳ６ＹＥＳ）は、視聴者が感じている季節感は夏であると判定し、表示部１２によって夏用コンテンツを再生する。
【００２５】
半袖割合が７０％未満であると判定された場合（ステップＳ６ＮＯ）、ステップＳ８に進み、半袖割合が３１％以上か６９％以下を判定する（ステップＳ８）。
【００２６】
半袖割合が３１％以上か６９％以下である場合（ステップＳ８ＹＥＳ）、視聴者が感じている季節感に傾向はないと判定する。季節感に傾向がないため、制御部１１は通信部１４を用い例えばレジ等と通信する事によって在庫状況を取得し、表示部１２に在庫状況から例えば売れ残っている商品等のコンテンツを再生させる（ステップＳ９）。
【００２７】
半袖割合が３１％以上か６９％以下でないと判定された場合（ステップＳ８ＮＯ）、ステップ１０に進み、半袖割合が３０％以下であるかを判定する（ステップＳ１０）。
【００２８】
半袖割合が３０％以下であると判定された場合は（ステップＳ１０ＹＥＳ）、視聴者が感じている季節感が冬であると判断し、表示部１２に冬用コンテンツを再生させる（ステップＳ１１）。
【００２９】
半袖割合が３０％以下でないと判定された場合は（ステップＳ１０ＮＯ）、終了する。
【００３０】
本実施形態では、所定の時間視聴者の感じている季節感を検出した後、コンテンツを再生したが、季節感を検出している間は通常のコンテンツを再生してもよい。
【００３１】
また、本実施形態の季節感検出は、予め定められた時刻毎に行っても良い。
【００３２】
また、本実施形態では、半袖割合が３１％以上か６９％以下であると判定された場合は、在庫に基づいたコンテンツを再生したが、これに限らず日付による季節に基づいたコンテンツを再生しても良いし、通常のコンテンツを再生しても良い。
【００３３】
また、本実施形態では、視聴者の半袖の割合によって季節感を検出したが、これに限らず他の服装でも良いし、その他の方法を用いても良い。
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する
【００３４】
（付記１）
ユーザを認識する認識手段と、
前記ユーザが感じている季節感を検出する季節感検出手段と、
前記季節感に基づいてコンテンツを出力するコンテンツ出力手段と、
を備えるコンテンツ出力装置。
（付記２）
前記コンテンツ出力手段は、前記季節感検出手段が特定の季節感を検出できなかった場合、前記季節感を除いた所定の条件に基づいてコンテンツを出力する事を特徴とする請求項１に記載のコンテンツ出力装置。
（付記３）
前記所定の条件は、在庫状況であることを特徴とする請求項２に記載のコンテンツ出力装置。
（付記４）
前記所定の条件は、日付による季節であることを特徴とする請求項２に記載のコンテンツ出力装置。
（付記５）
コンテンツを出力する方向を撮影する撮影手段と、
を更に備え、
前記季節感検出手段は、前記撮影手段に撮影されたユーザの服装に基づいて季節感を検出することを特徴とする請求項１から４のいずれか一項に記載のコンテンツ出力装置。
（付記６）
前記撮影手段に所定の時間撮影されたユーザの服装を記憶する記憶手段と、
を更に備え、
前記季節感検出手段は、前記記憶手段に基づいて季節感を検出することを特徴とする請求項３に記憶するコンテンツ出力装置。
（付記７）
前記季節感検出手段は、前記撮影手段に撮影されたユーザの服装の割合に基づいて季節感を検出することを特徴とする請求項５または６に記載のコンテンツ出力装置。
（付記８）
コンピュータを、
ユーザを認識する認識手段、
前記認識されたユーザが感じている季節感を検出する季節感検出手段、
前記季節感に基づいてコンテンツを出力するコンテンツ出力手段、
として機能させることを特徴とするプログラム。
（付記９）
ユーザを認識する認識ステップと、
前記認識されたユーザが感じている季節感を検出する季節感検出ステップと、
前記季節感に基づいてコンテンツを出力するコンテンツ出力ステップと、
を備えるコンテンツ出力方法。
【符号の説明】
【００３５】
１  サイネージ装置
１１  制御部
１２  表示部
１３  入力部
１４  通信部
１５  記憶部
１５１  画像データ記憶部
１５２  音声データ記憶部
１５１  コンテンツ記憶部
１６  撮影部
【図１】
2016170290.tif 000003
【図２】
2016170290.tif 000004